(57)【要約】【課題】  本発明の目的は、映像表示素子上を走査するカラーバーの混色が少なく、明るい走査方式の投射型映像表示装置を提供することである。【解決手段】  光源から放射される光束を複数色の光に分離する手段を、その出射面にそれぞれ異なる波長域の色光を透過する複数のダイクロイックミラーを配し、複数のダイクロイックミラーの境に白色色を反射する全反射ミラーを配し、色分離手段の入射面に色分離手段に入射する光束が入射する光学的な穴の開いた入射開口部を配し、入射開口部の外側に、ダイクロイックミラー或いは全反射ミラーで反射した光束再び反射する第２の反射ミラーを配するように構成した。【選択図】  図６
2006317818.tif 000002
【特許請求の範囲】
【請求項１】
白色光源と、
前記白色光源の出射光から映像信号に応じた光学像を形成する映像表示素子と、
前記白色光源から放射される光束を複数の色光に分離する色分離手段と、
前記色分離手段により分離された各複数の色光を前記映像表示素子上で移動させる走査手段と、
前記映像表示素子から出射された光をカラー映像として投射する投射手段とを有し、
前記色分離手段は、
出射面に、それぞれ異なる波長域の色光を透過する複数のダイクロイックミラーを配し、
前記複数のダイクロイックミラー各々の境界部に全反射ミラーを配し、
前記色分離手段の入射面に、前記色分離手段に入射する光束が入射する光学的な穴の開いた入射開口部を配し、
前記入射面の入射開口部の外側に、前記ダイクロイックミラー又は前記全反射ミラー殻の反射光束を再び反射する第２の反射ミラーを配するように構成したことを特徴とする投射型映像表示装置。
【請求項２】
前記色分離手段の入射面と前記白色光源の間に偏光変換素子を設けたことを特徴とする請求項１に記載の投射型映像表示装置。
【請求項３】
前記色分離手段は、その入射面と出射面との間に偏光変換素子を設けたことを特徴とする請求項１に記載の投射型映像表示装置。
【請求項４】
前記走査手段は、
前記色分離手段の出射面から出射された各複数色の光の空間像を形成する縮小光学系と、
前記空間像の近傍に配置した、鏡の角度を変えることで走査空間像を形成する回転多面体と、
前記走査空間像の拡大像を前記映像表示素子上に形成する拡大光学系と、
により構成したことを特徴とする請求項１乃至請求項３の何れか１項に記載の投射型映像表示装置。
【請求項５】
前記縮小光学系と前記拡大光学系は、各々の光路を一部共通に構成したことを特徴とする請求項４に記載の投射型映像表示装置。
【発明の詳細な説明】
【技術分野】
【０００１】
本発明は、映像表示素子を使用して、スクリーン上に映像を投影する投射装置、例えば、液晶プロジェクタ装置や、反射式映像表示プロジェクタ装置、投射型リアプロジェクションテレビ等の光学ユニット、投射型映像表示装置に係わり、色分離手段により分離した色光を、映像表示素子上に走査する技術に関するものである。
【背景技術】
【０００２】
従来、白色光源からの光をインテグレータ手段、偏光ビームスプリッタ（Polarization Beam Splitter：ＰＢＳ）、コリメータレンズを通過させた後、複数のダイクロイックミラーを使用して短冊形状（帯状）のＲ光，Ｂ光及びＧ光に分離し、分離された各色光をそれぞれ回転多面体を用いて光路を変えて、ライトバルブのそれぞれ異なった場所に同時に照射し、かつ、各色光の短冊形状の照射領域の場所を順次ライトバルブ上で一定方向に移動（「走査」または「スクロ−ル」ともいう）させるようにした単板式の投射型映像表示装置が知られている。この種の技術は例えば特許文献１，特許文献２に記載されている。
【０００３】
上記した走査式（スクロール式）の投射型映像表示装置では、例えば特許文献１の図３で示されるように、ライトバルブ上に形成された各色光に対応した３つの短冊形状の照射領域の場所が回転多面体によってスクロールされる。しかし、実際には、構成部品の精度，組立時のバラツキを許容するため、あるいは色分離後の光学系の収差により、ライトバルブ上に形成された各色光の短冊形状照射領域の境界で重なり部分が生じ、つまり混色が生じる。
【０００４】
そこで、短冊形状照射領域の境界で生じる混色を低減するために、ライトバルブ上で短冊形状照射領域の重なり（混色）が生じる境界部分の画像表示を黒表示とする技術が例えば特許文献３に記載されている。
【０００５】
【特許文献１】特開２００４−１７０５４９号公報
【特許文献２】特開２００３−２５５２５０号公報
【特許文献３】特開２００１−３５６２８７号公報
【発明の開示】
【発明が解決しようとする課題】
【０００６】
上記したように、特許文献３では、短冊形状照射領域の重なり（混色）が生じる境界部分の画像表示を黒表示として、混色を低減している。しかし、このためには、境界部分で黒表示するための黒表示信号発生回路やタイミング制御回路が必要となり、コストアップを招く要因となる。また、映像信号処理回路としてＩＣ化されたものを使用する場合には、特許文献３の技術を適用するにはＩＣ開発がともない、加えて、ＩＣ化のための費用（例えばマスク費用）も必要となる。
【０００７】
本発明は、上記した事情に鑑みてなされたもので、回路的手法を用いることなく、短冊形状照射領域の重なり部分の混色を低減できる投射型映像表示装置を提供することにある。
【課題を解決するための手段】
【０００８】
上記の目的を達成するために、本発明は、投射型映像表示装置であって、白色光源と、前記白色光源の出射光から映像信号に応じた光学像を形成する映像表示素子と、前記白色光源から放射される光束を複数の色光に分離する色分離手段と、前記色分離手段により分離された各複数の色光を前記映像表示素子上で移動させる走査手段と、前記映像表示素子から出射された光をカラー映像として投射する投射手段とを有し、前記色分離手段は、出射面に、それぞれ異なる波長域の色光を透過する複数のダイクロイックミラーを配し、前記複数のダイクロイックミラー各々の境界部に全反射ミラーを配し、前記色分離手段の入射面に、前記色分離手段に入射する光束が入射する光学的な穴の開いた入射開口部を配し、前記入射面の入射開口部の外側に、前記ダイクロイックミラー又は前記全反射ミラー殻の反射光束を再び反射する第２の反射ミラーを配するように構成する。
【発明の効果】
【０００９】
本発明によれば、混色を防止できる投射型映像表示装置を提供できる。
【発明を実施するための最良の形態】
【００１０】
以下、本発明の最良の形態について、図面を参照しつつ説明する。なお、各図において、共通な機能を有する要素には同一な符号を付して示し、一度説明したものについてはその説明を省略する。
【実施例１】
【００１１】
以下、図１から図５を用いて、色分離素子としてのカラープリズムと１個の回転多面体を用いた第1の実施例である走査式投射型映像表示装置について説明する。
【００１２】
図１は第1の実施例を示す走査式投射型映像表示装置の概略構成図、図２は第1の実施例における写像関係を説明する図、図３は縮小光学系と拡大光学系の光線図、図４は第1の実施例における走査作用を説明する図、図５は第1の実施例における色分離ユニットの概略構成図である。
【００１３】
先ず、図１を用いて本実施例による走査式投射型表示装置の構成について説明する。ここで、以下の図示を容易とするため、図１に右手直角座標系を導入する。すなわち、光源ユニット１の光軸方向をＺ軸、図１紙面に直交し、紙面裏から紙面表に向かう方向をＹ軸、ＹＺ軸で形成されるＹＺ平面に直交する軸をＸ軸とする。
【００１４】
図１において、光源１１とリフレクタ１２（この図では楕円リフレクタ）からなる光源ユニット１から出射した略白色の光束は、リフレクタ１２の第２焦点位置近傍に配置されている色分離ユニット２ａの入射面に集光し入射する。
【００１５】
色分離ユニット２ａは、光源ユニット１からの光束の偏光方向を所定偏光方向に揃える偏光変換素子２１と、出射側方向に断面積が次第に大きくなるインテグレータ素子であるライトパイプ２４と、ライトパイプ２４からの光をＹ軸方向（図１紙面に垂直な方向）に配列された３つの短冊形状（帯状）の異なる色光（例えばＲ光，Ｇ光，Ｂ光）に分離する色分離素子であるカラープリズム２７と、カラープリズム２７で形成された３つの短冊形状（帯状）の各色光領域の境界近傍領域から出射する光束をそれぞれ遮光する遮光枠２８とからなる。なお、偏光変換素子２１は偏光分離プリズム２１１と１／２波長板２１２からなる。また、以下、短冊形状（帯状）の色光を「カラーバー」と称する。
【００１６】
色分離ユニット２ａに入射した光束は、最初に、偏光変換素子２１で所定偏光方向（ここではＳ偏光）に揃えられる。すなわち、偏光分離プリズム２１１でＰ偏光とＳ偏光に分離され、一方の偏光、この図ではＰ偏光の出射面に配置された１／２波長板２１２により、偏光状態がＳ偏光に揃えられる。次に、Ｓ偏光に揃えられた光束は、ライトパイプ２４で内面反射を繰り返すことで、光量分布の一様化が図られる。なお、ライトパイプ２４では、その断面形状が出射側方向に次第に大きくなっているので、入射光のＦ値よりも出射光のＦ値が大きくなり、入射光の発散成分を低減することが可能となる。最後に、偏光変換素子２１で偏光状態が揃えられ、ライトパイプ２４で光量分布の一様化が図られた白色光は、カラープリズム２７によりＹ軸方向に配列された３つの色光（例えばＲ，Ｇ，Ｂ光）のカラーバーに分離され出射する。カラープリズム２７と遮光枠２８の構成および機能については図５を用いて詳細に後述する。
【００１７】
カラープリズム２７で分離された３つの色光（偏光状態はＳ偏光）のカラーバーは、縮小光学系３１，光路折り曲げミラー３２を介して、更にＳ偏光を透過する偏光板８１でＳ偏光状態の純度が改善されて、第１ＰＢＳ５１に入射する。第１ＰＢＳ５１に入射したＳ偏光の光束（カラーバー）は、偏光分離面で反射し、回転多面体４に向かう。第１ＰＢＳ５１を出射したＳ偏光の光束は、１／４波長板８２を通過することで、円偏光に変換され、縮小光学系３３を介して回転多面体４に入射する。その過程で、カラープリズム２７の出射面に形成された３つの色光のカラーバーは、回転多面体４の手前の空間に縮小光学系３１，３３によって写像され、空間像（図３参照）が形成される。
【００１８】
該空間像は、回転多面体４の表面の反射面４１で反射し、光路を折り返す。１／４波長板８２を再び通過することで、円偏光はＰ偏光に変換されるので、今度は、第１ＰＢＳ５１を透過する。第１ＰＢＳ５１を透過した光束は、１／２波長板８３によりＳ偏光に変換される。そして、第２ＰＢＳ５２に入射したＳ偏光の光束は、偏光分離面で反射し、映像表示素子６に入射する。この過程で、回転多面体４の手前の空間に形成された空間像は、回転多面体４の反射面４１で鏡面像（図示せず）が形成され、該鏡面像が拡大光学系３３（ここでは光線方向が逆となるので拡大光学系として機能する）で拡大されて映像表示素子６上に写像される。
【００１９】
映像表示素子６の各画素で反射する光線は、各画素がＯＮの場合は、偏光状態がＰ偏光に変換されるので、今度は、第２ＰＢＳ５２を透過し投射レンズ７でスクリーン（図示せず）等に拡大投射される。また、各画素がＯＦＦの場合は、偏光状態がＳ偏光のままなので、再び、第２ＰＢＳ５２の偏光面で反射し、光束はスクリーン等に拡大投射されない。なお、８４はＰ偏光を透過させる偏光板である。
【００２０】
次に、上記したカラープリズム２７の出射面に形成された３つの色光のカラーバー（物体）と、空間像と、鏡面像と、映像表示素子６上の写像との関係について図２、図３を用いて説明する。なお、図２では、光軸方向から見た物体及び像の大きさを模式的に示している。また図３（ａ）はカラープリズムの出射面から映像表示素子までの光線図、図３（ｂ）は回転多面体の反射面近傍の拡大図である。
【００２１】
図２，図３において、カラープリズム２７の出射面に形成されたカラーバー（物体）２００の像（縮小像）は、縮小光学系３１，３３と光路折り曲げミラー３２と第１ＰＢＳ５１により回転多面体４の手前の空間に空間像３００として形成される。この様子が図３（ｂ）の光線図に示されている。回転多面体４の反射面４１により空間像３００の鏡面像４００が反射面４１の裏側に形成されるが、回転多面体４が回転することで反射面４１も回転し入射角度が変化するので、鏡面像４００は移動（走査）して走査空間像となる。さらに、拡大光学系３３（縮小光学系の一部を兼用）と第２ＰＢＳ５２により、走査空間像の拡大像６００を映像表示素子６に形成する。最後に、映像表示素子６で変調作用を受けたカラー映像は投射装置としての投射レンズ７により、スクリーン等の投射面に拡大投射される。
【００２２】
なお、ここで縮小光学系と拡大光学系と説明したが、拡大光学系と縮小光学系の組合せでも写像関係上は問題ないが、縮小光学系と拡大光学系の組合せとすることで、回転多面体４の反射面４１の近傍にできる空間像を小さくできるので、その結果、回転多面体４を小さくできる利点がある。
【００２３】
次に、図４を用いて、走査作用について説明する。図４（ａ）は反射面４１による鏡面像の説明図、図４（ｂ）はカラーバーの走査を模式的に示したものである。反射面４１の手前に、物体（空間像）を置くと、反射面４１から物体までの距離Ａと同じ距離で反射面４１の裏側に鏡面像が形成される。ところで、反射面４１は回転多面体４の表面に配置しているので、回転多面体４の回転によって反射面４１の角度が変化する。例えば、反射面４１がθ回転すると、反射光はその倍で２θ変化する。このとき、反射光は図４で点線で引いた線と鏡面像との交点位置から、あたかも出射した光線に重なる。従って、反射面４１の角度を連続して変えれば、鏡面像の異なる位置から連続した光線が出射することとなる。即ち、反射面４１の角度を変えることで、図４（ｂ）のように、光の走査（スクロール）が実現できる。なお、ここで述べた回転角度とは、回転多面体４の反射面４１の１面あたりでの回転角度である。例えば、反射面４１を１２面とすると３６０度／１２＝３０度、従って、回転角度は±１５度である。回転多面体４全体では、この回転角度の繰り返しとなる。
【００２４】
次に、図５を用いてカラープリズム２７と遮光枠２８の構成および機能について説明する。
【００２５】
図５（ａ）は、図１で述べた色分離ユニット２ａから、ライトパイプ２４とカラープリズム２７と遮光枠２８を抜き出して示したＹＺ断面構成図である。図５（ａ）において、ライトパイプ２４に入射した光束は、ライトパイプ２４で内面反射を繰り返すことで光量分布が一様化され、カラープリズム２７に入射する。カラープリズム２７は、Ｘ軸方向に細長いダイクロイックプリズムがＹ軸方向に積層されたもので、第１の色光を透過しそれ以外の色光を反射する第１ダイクロイック面２７１と、第２の色光を透過しそれ以外の色光を反射する第２ダイクロイック面２７２と、第３の色光を透過しそれ以外の色光を反射する第３ダイクロイック面２７３とからなる。ライトパイプ２４で一様化された白色光は、第１ダイクロイック面２７１により第１の色光が分離される。次に、第１ダイクロイック面で反射した色光は、第２ダイクロイック面２７２により第２の色光が分離される。さらには、第２ダイクロイック面で反射した色光は、第３ダイクロイック面２７３により第３の色光が分離される。
【００２６】
このように色分離されたカラーバーは、先に説明したように、回転多面体４による走査作用と、回転多面体４の前後の縮小光学系及び拡大光学系により、映像表示素子６上に写像される。
【００２７】
しかしながら、回転多面体４の前後の縮小光学系と拡大光学系において、収差が無いことはありえない。従って、第１の色光の像の一部と、第２の色光の像の一部が、映像表示素子６上で重なる。同様に、第２の色光の像の一部と、第３の色光の像の一部が、映像表示素子６上で重なる。さらには、第３の色光の像の一部と、第１の色光の像の一部が、映像表示素子６上で重なる。なお、第３の色光の像の一部と、第１の色光の像の一部の重なりとは、回転多面体４の相隣接する異なる反射面４１で反射した色光の重なりをいう。また、先の図４では、回転多面体４１の反射面の角度変化でその走査作用を説明したが、回転多面体４では当然その回転作用によって光線が反射する位置（空間像からの距離）も変化するので、厳密には、回転作用時には写像関係がくずれるので、この点でもカラーバー同士が、映像表示素子６上で重ならないことは不可能である。
【００２８】
そこで、本実施例では、カラープリズム２７の出射側に遮光枠２８を設けている。図５（ｂ）はＺ軸方向からみた遮光枠２８の出射面形状を示す。遮光枠２８は、図５（ｂ）に示すように、カラーバー２００の第１の色光２００１と第２の色光２００２との間、および第２の色光２００２と第３の色光２００３との間に、映像表示素子６上での重なり（混色）を防止する所定の幅Ｔ２を有する遮光部を備えている。また、走査により、第１の色光２００１と第３の色光２００３との間で重なり（混色）が生じるので、第１の色光２００１のカラーバーおよび第３の色光のカラーバーの両外側にも、少なくとも所定の幅Ｔ１，Ｔ３を有する遮光部（点線の範囲）が設けられている。Ｔ１，Ｔ２，Ｔ３は次の数１の式を満足する。
【００２９】
Ｔ１＋Ｔ３≧Ｔ２  ・・・（数１）
但し、Ｔ１，Ｔ３≧０
例えば、幅Ｔ１と幅Ｔ３の和が幅Ｔ２以上であれば、第１の色光２００１のカラーバーと第３の色光のカラーバーの間の混色を防止できるので、例えばＴ３＝０としてＴ１≧Ｔ２としてもよい。しかし、Ｔ１＝Ｔ３≧Ｔ２とするのが作りやすさの点から好ましい。なお、図５（ｂ）において、カラープリズム２７の外形形状を点線で示している。
【００３０】
このように、本実施例によれば、収差等で各カラーバーの映像表示素子６面での像が広がっても、各色の重なりを防止することができる。
【００３１】
すなわち、本実施例によれば、特許文献３で必要であった、短冊形状照射領域の重なり（混色）が生じる境界部分の画像表示を黒表示するための黒表示信号発生回路やタイミング制御回路を必要としないので、大きなコストアップを招くことがなく、また、ＩＣ開発も不要であり、比較的容易に短期間に製品開発を行うことができる。
【実施例２】
【００３２】
上記した第１の実施例では、カラーバーの第１の色光と、第２の色光と、第３の色光のそれぞれの間に、遮光部を設けることで、収差等で各カラーバーの映像表示素子６面での像が広がっても、各色の重なりを防止するものである。しかしながら、遮光枠２８の遮光部により光束を遮光しており、その分、光量が低下する。
【００３３】
この光量低下は、特許文献３の場合でも生じる。特許文献３では、カラーバーの映像表示素子６面での各色光の重なりがあっても、その該当箇所の各画素を黒表示（ＯＦＦ）とするものである。しかしながら、強制的に黒表示するということは、本来、映像表示素子６に到達した光束が、投射レンズ７から出射できない訳であり、その分、光量が低下する。
【００３４】
以下、混色を低減しながら、光量低下を低減する第２の実施例について、図６，図７を用いて説明する。
【００３５】
図６は第２の実施例における色分離ユニットの概略構成図、図７は第２の実施例を示す走査式投射型映像表示装置の概略構成図である。図７から明らかなように、本実施例は、第１の実施例において、色分離ユニット２ａに代えて、色分離ユニット２ｂを用いたものである。
【００３６】
先ず、図６を用いて、本実施例での色分離ユニットの構成について説明する。図６の（ａ）図は色分離ユニットのＹＺ断面構成図、その（ｂ）図は色分離ユニットを構成するライトパイプの入射面を示す図である。
【００３７】
図６（ａ）において、色分離ユニット２ｂは、光源ユニット１からの光束の偏光方向を所定偏光方向に揃える偏光変換素子２１と、出射側方向に断面積が次第に大きくなるインテグレータ素子であるライトパイプ２４と、ライトパイプ２４の出射側に設けられ、ライトパイプ２４からの光をＹ軸方向に配列された３つの異なる色光（第1の色光２００１，第２の色光２００２，第３の色光２００３）のカラーバーに分離する色分離素子であるダイクロイックミラー２５と、ダイクロイックミラー２５の間に設けられた白色光を反射する全反射ミラー２６とからなる。
【００３８】
ダイクロイックミラー２５は、第１の色光のみを透過しその他の色光を反射するダイクロイックミラー２５１と、第２の色光のみを透過しその他の色光を反射するダイクロイックミラー２５２と、第３の色光のみを透過しその他の色光を反射するダイクロイックミラー２５３とで構成される。また、全反射ミラー２６はダイクロイックミラー２５１と２５２の間，ダイクロイックミラー２５２と２５３の間およびダイクロイックミラー２５１と２５３の両外側にそれぞれ配置されている。第１の実施例では、遮光枠２８で混色を低減したが、本実施例では、遮光枠２８の遮光部に対応する部分に全反射ミラー２６を設けて、混色を低減するものである。
【００３９】
さらに、ライトパイプ２４の入射側には、光学的な穴の開いた入射開口２３１と、入射開口２３２以外の領域に対応して設けられた全反射ミラー２３２を有する入射板２３が配置されている。全反射ミラー２３２は、ダイクロイックミラー２５１，２５２，２５３及び全反射ミラー２６で反射した光束を再びライトパイプ２４の出射側に反射するものである。
【００４０】
次に、図７を用いて、本実施例の機能について述べる。図７は先に説明した図１の走査式投射型映像表示装置と色分離ユニット以外は同じなので、その重複する説明を省略する。
【００４１】
図７において、光源ユニット１から出射した白色光束は、色分離ユニット２ｂの入射板２３の入射開口２３１に入射する。入射した光束は、ライトパイプ２４で内面反射を繰り返すことで光量分布の一様化が図られる。一様化された白色光束のうち、第１のダイクロイックミラー２５１に到達した第１の色光２００１は、カラーバーの一部として第１のダイクロイックミラー２５１から出射する。同様に、一様化された白色光束のうち、第２のダイクロイックミラー２５２に到達した第２の色光２００２は、カラーバーの一部として第２のダイクロイックミラー２５２から出射する。同じく、一様化された白色光束のうち、第３のダイクロイックミラー２５３に到達した第３の色光２００３は、カラーバーの一部として第３のダイクロイックミラー２５３から出射する。
【００４２】
上記の組合せ以外、例えば、一様化された白色光束のうち、第１のダイクロイックミラー２５１に到達した第２の色光と第３の色光は、第１のダイクロイックミラー２５１で反射し、ライトパイプ２４の入射側に戻る。同様に、一様化された白色光束のうち、第２のダイクロイックミラー２５２に到達した第１の色光と第３の色光は、第２のダイクロイックミラー２５２で反射し、ライトパイプ２４の入射側に戻る。同じく、一様化された白色光束のうち、第３のダイクロイックミラー２５３に到達した第１の色光と第２の色光は、第３のダイクロイックミラー２５３で反射し、ライトパイプ２４の入射側に戻る。
【００４３】
さらに、一様化された白色光束のうち、全反射ミラー２６に到達した第１の色光と第２の色光と第３の色光も、全反射ミラー２６で反射し、ライトパイプ２４の入射側に戻る。
【００４４】
入射側に戻された光束のうち、一部の光束は入射開口２３１を通過し光源ユニット１側に戻ってしまうが、大部分の光束は入射開口以外の領域に対応して設けられた全反射ミラー２３２で反射し、再び、ライトパイプ２４の出射面に到達する。以下、この繰り返しとなる。
【００４５】
大部分の光束が、入射板２３の全反射ミラー２３２で再び反射するとしたのは、ライトパイプ２４の出射側で既に、光量分布の一様化が図られているので、反射して入射板２３に到達した光束も一様化しているので、入射開口２３１と全反射ミラー２３２の面積比で反射するからである。
【００４６】
このように、本実施例の色分離ユニット２ｂは、各色光の境の光をリサイクルすることで光量の劣化を抑えるとともに、カラーバーの間に遮光を設けることで、混色を防止している。
【００４７】
尚、本実施例では、図６（ｂ）に示したように、入射開口２３１は２つ設けているが、これは、図７に示した色分離ユニット２ａの入射側に偏光変換素子２１を設けているからである。偏光変換素子２１に入射した自然光（白色光）は、Ｐ偏光とＳ偏光に分離され、本実施例では、Ｐ偏光の出射面に１／２波長板２１２を配置し、Ｓ偏光に揃えている。
【００４８】
以上の説明では、全反射ミラー２６は、ダイクロイックミラー２５１と２５２の間，およびダイクロイックミラー２５２と２５３の間のみならず、ダイクロイックミラー２５１と２５３の両外側にも設けたが、本実施例はこれに限定されるものではない。ダイクロイックミラー２５１と２５３の両外側の全反射ミラーは走査によって生じる第１の色光のカラーバーと第３の色光のカラーバーの混色を防ぐためのものであり、ダイクロイックミラー２５１あるいはダイクロイックミラー２５３のいずれか一方の外側に所定幅の全反射ミラーを設けるようにしてもよい。また、第１の色光のカラーバーと第３の色光のカラーバーの混色を防ぐためには、第１の色光のカラーバーの幅と第３の色光のカラーバーの幅を小さくしてもよい。この場合には、ダイクロイックミラー２５１と２５３の幅（Ｙ軸方向）を小さくし、両外側の全反射ミラーを省略し、その分色分離ユニットのＹ軸方向の内径を小さくするようにしてもよい。
【００４９】
勿論、第１の実施例の遮光枠と本実施例の全反射ミラーを適宜組み合わせて用いても良いことはいうまでもない。
【実施例３】
【００５０】
図８を用いて、第３の実施例での色分離ユニット２ｃについて説明する。
【００５１】
図６に示した実施例２との違いは、偏光変換素子２１の位置であり、本実施例では、偏光変換素子２１を入射板２３と出射側のダイクロイックミラー２５１，２５２，２５３の間に配置したことである。従って、入射開口２３１は１個となる。それ以外の作用や効果は、実施例２と同様である。
【００５２】
また、実施例２や本実施例で共通であるが、色分離ユニット２ｃの出射側に設けた全反射ミラー２６は、蒸着で形成しても良いし、金属ミラーでも形成しても良い。
【００５３】
また、１枚のガラスに各色光用のダイクロイックミラー２５１，２５２，２５３を蒸着する場合は、各色が直接隣り合うので、その蒸着範囲を厳密に制御しなければならなかったが、本実施例によれば、全反射ミラー２６をそれぞれの色用のダイクロイックミラー２５１，２５２，２５３を蒸着する場合は、各色光用のダイクロイックミラー２５１，２５２，２５３の蒸着範囲を厳密に設定しなくとも良いという効果が得られた。即ち、後から、或いは、先に、全反射ミラー２６も各色のダイクロイック膜の間に蒸着するからである。
【００５４】
尚、全反射ミラー２６は、蒸着でなく金属ミラーを別体で配置することでも、上記の効果は得られる。
【図面の簡単な説明】
【００５５】
【図１】第１の実施例を示す走査式投射型表示装置の概略構成図である。
【図２】第１の実施例における写像関係を説明する図である。
【図３】第１の実施例における縮小光学系と拡大光学系の光線図である。
【図４】第１の実施例における回転多面体の走査作用を説明する図である。
【図５】第１の実施例における色分離ユニットの概略構成図である。
【図６】第２の実施例における色分離ユニットを説明する図である。
【図７】第２の実施例を示す走査式投射型映像表示装置の概略構成図である。
【図８】第３の実施例における色分離ユニットを説明する図である。
【符号の説明】
【００５６】
１…光源ユニット、１１…光源、１２…リフレクタ、２ａ，２ｂ，２ｃ…色分離ユニット、２１…偏光変換素子、２１１…偏光分離プリズム、２１２…１／２波長板、２３…入射板、２３１…入射開口、２３２…全反射ミラー、２４…ライトパイプ、２５，２５１，２５２，２５３…ダイクロイックミラー、２６…全反射ミラー、２７…カラープリズム、２８…遮光枠、３１，３３…縮小光学系、３２…光路折り曲げミラー、３３…拡大光学系（光路共通化による兼用）、４…回転多面体、５１…第１ＰＢＳ、５２…第２ＰＢＳ、６…映像表示素子、７…投射レンズ、８１…偏光板、８２…１／４波長板、８３…１／２波長板、８４…偏光板。
【図１】
2006317818.tif 000003
【図２】
2006317818.tif 000004
【図３】
2006317818.tif 000005
【図４】
2006317818.tif 000006
【図５】
2006317818.tif 000007
【図６】
2006317818.tif 000008
【図７】
2006317818.tif 000009
【図８】
2006317818.tif 000010